(57)【要約】【課題】印刷データの漏洩を防ぐことができる画像形成システムを提供する。【解決手段】画像形成システム１は、プルプリントサーバー１１と、画像形成装置１３とで実現されるプリプリントを実行自在なものである。画像形成装置１３は、プリントコントローラー２３と、画像形成コントローラー２１とから実現される。プリントコントローラー２３は、プルプリントサーバー１１からダミー印刷データを受信する場合、ダミー印刷データの変換結果に対応するダミー画像データを画像形成コントローラー２１に送信する。画像形成コントローラー２１は、プリントコントローラー２３からダミー画像データを受信し、且つダミー画像データを妥当なデータであると解析する場合、プルプリントサーバー１１に印刷データを要求する。【選択図】図１
2018089883.tif 000002
【特許請求の範囲】
【請求項１】
到来する１又は複数の印刷データを一時的に蓄積自在なプルプリントサーバーと、
前記プルプリントサーバーに接続自在であり、且つ前記印刷データに基づき画像を用紙に形成する画像形成装置と、
を備え、プルプリントを実行自在な画像形成システムであって、
前記画像形成装置は、
前記印刷データを画像データに変換する処理を実行するプリントコントローラーと、
前記プリントコントローラーと通信自在であり、且つ前記プリントコントローラーにより変換される前記画像データに基づき前記用紙に前記画像を形成する処理を制御する画像形成コントローラーと、
を備え、
前記プリントコントローラーは、
前記画像形成コントローラーとの接続関係の確認に用いるダミー印刷データを前記プルプリントサーバーから受信する場合、前記ダミー印刷データの変換結果に対応するダミー画像データを前記画像形成コントローラーに送信するものであり、
前記画像形成コントローラーは、
前記プリントコントローラーから前記ダミー画像データを受信し、且つ前記ダミー画像データを妥当なデータであると解析する場合、前記プルプリントサーバーに前記印刷データを要求するものである、
画像形成システム。
【請求項２】
前記プルプリントサーバーは、
前記プルプリントを実行する場合、前記印刷データを前記プリントコントローラーに送信する前に、前記ダミー印刷データを前記プリントコントローラーに送信するものである、
請求項１に記載の画像形成システム。
【請求項３】
前記画像形成コントローラーは、
前記プルプリントを実行時、前記プルプリントサーバーとの接続確認がされるものであって、且つ前記ダミー印刷データに対応する解析画像データと前記ダミー画像データとが同一のものを示すと判定する場合、前記ダミー画像データを妥当なデータであると解析するものである、
請求項２に記載の画像形成システム。
【請求項４】
前記画像形成コントローラーは、
前記ダミー画像データを妥当なデータであると解析する場合、前記印刷データのうち、前記プルプリントの実行に指定される指定印刷データを前記プルプリントサーバーに要求するものであり、
前記プルプリントサーバーは、
前記画像形成コントローラーにより前記指定印刷データが要求される場合、前記指定印刷データを前記プリントコントローラーに送信するものである、
請求項３に記載の画像形成システム。
【請求項５】
前記画像形成コントローラーは、
予め設定された一定時間、前記プリントコントローラーから前記ダミー画像データを受信しない場合、前記印刷データの要求をキャンセルするものである、
請求項１〜４の何れか一項に記載の画像形成システム。
【請求項６】
前記プルプリントサーバーは、
前記プリントコントローラー又は前記画像形成コントローラーとの接続関係の設定が変更されている場合、又は前記ダミー印刷データが前記プリントコントローラーに一度も送信されていない場合、前記ダミー印刷データを前記プリントコントローラーに少なくとも１回送信するものである、
請求項１〜５の何れか一項に記載の画像形成システム。
【請求項７】
前記ダミー印刷データの受信の有無を報知する報知部と、
前記報知部により前記ダミー印刷データの受信の有無が報知されているか否かを選択させる選択画像を表示する表示部と、
を備え、
前記画像形成コントローラーは、
前記表示部に表示されている前記選択画像のうち、
前記ダミー印刷データの受信が有ることに相当するものが選択される場合、前記プルプリントサーバーに前記印刷データを要求するものであり、
前記ダミー印刷データの受信が有ることに相当するものが選択されない場合、前記印刷データの要求をキャンセルするものである、
請求項１〜６の何れか一項に記載の画像形成システム。
【発明の詳細な説明】
【技術分野】
【０００１】
本発明は、画像形成システムに関する。
【背景技術】
【０００２】
従来、外部端末から発行される印刷ジョブに基づき、用紙に画像を印刷する画像形成システムが提案されている（例えば、特許文献１参照）。また、外部端末から送信される印刷ジョブに基づき、画像形成装置に印刷出力を直ちに実行させるものではなく、ユーザーが画像形成装置に認証されてから印刷出力させる画像システムも提案されている。このような画像形成システムは、プルプリント技術又は認証プリント技術と称される。
【先行技術文献】
【特許文献】
【０００３】
【特許文献１】特開２０１２−１６６４４３号公報
【発明の概要】
【発明が解決しようとする課題】
【０００４】
しかし、上記に記載のようなプルプリント技術は、サーバーに蓄積されている印刷データに基づき用紙に画像を印刷するものである。よって、印刷出力先として指定される印刷データの送り先が、プルプリント機能を利用するときにサーバーに認証されていないものであれば、その送り先が正しいか否かを判断することはできない。よって、その送り先が正しいものではないにもかかわらず、印刷データがサーバーからその送り先に送信されれば、その送り先は誤送信先であるため、その送り先から印刷データの漏洩が生じる恐れがある。
【０００５】
本開示はこのような状況に鑑みてなされたものであり、印刷データの漏洩を防ぐことができるようにするものである。
【課題を解決するための手段】
【０００６】
本開示の第１の側面である画像形成システムは、到来する１又は複数の印刷データを一時的に蓄積自在なプルプリントサーバーと、前記プルプリントサーバーに接続自在であり、且つ前記印刷データに基づき画像を用紙に形成する画像形成装置と、を備え、プルプリントを実行自在な画像形成システムであって、前記画像形成装置は、前記印刷データを画像データに変換する処理を実行するプリントコントローラーと、前記プリントコントローラーと通信自在であり、且つ前記プリントコントローラーにより変換される前記画像データに基づき前記用紙に前記画像を形成する処理を制御する画像形成コントローラーと、を備え、前記プリントコントローラーは、前記画像形成コントローラーとの接続関係の確認に用いるダミー印刷データを前記プルプリントサーバーから受信する場合、前記ダミー印刷データの変換結果に対応するダミー画像データを前記画像形成コントローラーに送信するものであり、前記画像形成コントローラーは、前記プリントコントローラーから前記ダミー画像データを受信し、且つ前記ダミー画像データを妥当なデータであると解析する場合、前記プルプリントサーバーに前記印刷データを要求するものである。
【０００７】
プリントコントローラーは、プルプリントサーバーからダミー印刷データを受信する場合、ダミー印刷データから変換されるダミー画像データを画像形成コントローラーに送信する。画像形成コントローラーは、プリントコントローラーから受信したダミー画像データを解析して妥当なデータであると判定する場合、プルプリントサーバーに印刷データを要求する。よって、画像形成システムは、ダミー画像データの送り先に問題がないことを確認してから実際の画像データを送るものであるため、実際の画像データの誤送信を防ぐことができる。つまり、画像形成システムは、誤送信先に実際の画像データをそもそも送信しないものである。したがって、画像形成システムは、実際の印刷データの漏洩を防ぐことができる。
【０００８】
また、前記プルプリントサーバーは、前記プルプリントを実行する場合、前記印刷データを前記プリントコントローラーに送信する前に、前記ダミー印刷データを前記プリントコントローラーに送信するものである、ことが好ましい。
【０００９】
また、前記画像形成コントローラーは、前記プルプリントを実行時、前記プルプリントサーバーとの接続確認がされるものであって、且つ前記ダミー印刷データに対応する解析画像データと前記ダミー画像データとが同一のものを示すと判定する場合、前記ダミー画像データを妥当なデータであると解析するものである、ことが好ましい。
【００１０】
また、前記画像形成コントローラーは、前記ダミー画像データを妥当なデータであると解析する場合、前記印刷データのうち、前記プルプリントの実行に指定される指定印刷データを前記プルプリントサーバーに要求するものであり、前記プルプリントサーバーは、前記画像形成コントローラーにより前記指定印刷データが要求される場合、前記指定印刷データを前記プリントコントローラーに送信するものである、ことが好ましい。
【００１１】
また、前記画像形成コントローラーは、予め設定された一定時間、前記プリントコントローラーから前記ダミー画像データを受信しない場合、前記印刷データの要求をキャンセルするものである、ことが好ましい。
【００１２】
また、前記プルプリントサーバーは、前記プリントコントローラー又は前記画像形成コントローラーとの接続関係の設定が変更されている場合、又は前記ダミー印刷データが前記プリントコントローラーに一度も送信されていない場合、前記ダミー印刷データを前記プリントコントローラーに少なくとも１回送信するものである、ことが好ましい。
【００１３】
また、前記ダミー印刷データの受信の有無を報知する報知部と、前記報知部により前記ダミー印刷データの受信の有無が報知されているか否かを選択させる選択画像を表示する表示部と、を備え、前記画像形成コントローラーは、前記表示部に表示されている前記選択画像のうち、前記ダミー印刷データの受信が有ることに相当するものが選択される場合、前記プルプリントサーバーに前記印刷データを要求するものであり、前記ダミー印刷データの受信が有ることに相当するものが選択されない場合、前記印刷データの要求をキャンセルするものである、ことが好ましい。
【発明の効果】
【００１４】
本開示の第１の側面によれば、実際の印刷データの漏洩を防ぐことができる。
【図面の簡単な説明】
【００１５】
【図１】本開示を適用した実施形態１における画像形成システム１の全体構成例を示す図である。
【図２】実施形態１における画像形成システム１のシーケンス図である。
【図３】実施形態２における表示部４３に表示される選択画像の一例を示す図である。
【発明を実施するための形態】
【００１６】
以下、図面に基づいて本開示の実施形態を説明するが、本開示は以下の実施形態に限られるものではない。なお、本明細書においてシステムとは、複数の装置の論理的集合構成であり、各構成の装置が同一筐体内にあるものに限られない。
【００１７】
実施形態１．
図１は、本開示を適用した実施形態１における画像形成システム１の全体構成例を示す図である。図１に示すように、画像形成システム１は、プルプリントサーバー１１と、画像形成装置１３と、を備え、プルプリントを実行自在なものである。プルプリントサーバー１１と、画像形成装置１３とは、ネットワーク３１を介して接続されている。ネットワーク３１は、例えばＬＡＮにより構成される。画像形成システム１は、さらに、コンピューター１５ａ，１５ｂ、又はスマートフォン１５ｃ等をネットワークノードして構成することができる。スマートフォン１５ｃは、無線中継装置１７を介してネットワーク３１に接続自在である。なお、コンピューター１５ａ，１５ｂ、及びスマートフォン１５ｃを総称する場合、外部端末１５と称する。外部端末１５は、プルプリントサーバー１１に１又は複数の印刷データを送信する。プルプリントサーバー１１は、到来する１又は複数の印刷データを一時的に蓄積自在である。
【００１８】
画像形成装置１３は、報知部４１及び表示部４３等を備える。報知部４１は複数のランプから構成され、点灯、消灯、点滅、又は色の変化等により各種情報を報知する。表示部４３は、操作表示パネルに形成され、各種画像を表示する。なお、操作表示パネルは、例えば、タッチパネル付き液晶ディスプレイにより構成される。この場合、操作表示パネルは、液晶ディスプレイにより表示部４３が構成され、タッチパネルにより操作部が構成される。画像形成装置１３は、さらに、画像読取装置と、給紙部と、画像形成部とを備える。給紙部は、給紙カセットと、給紙搬送部とを備える。給紙カセットは、用紙サイズの異なる記録紙を収納する。給紙搬送部は、各種ローラーを備え、給紙カセットに収納された記録紙を画像形成部の画像形成位置まで搬送する。画像形成部は、露光装置と、感光ドラムと、現像装置と、転写ベルトと、定着装置とを備える。画像形成部は、画像読取装置により読み取られた原稿の画像データに基づき、露光装置により感光ドラムに異なる色のトナーを供給して現像する。画像形成部は、転写ベルトにより感光ドラムに現像されたトナー像を給紙部から供給された記録紙に転写する。画像形成部は、記録紙に転写されたトナー像のトナーを定着装置により融解させることにより、記録紙にカラー画像が定着する。なお、図示の都合上、図１では、画像形成装置１３は１台のみの記載であるが、ネットワーク３１に接続される画像形成装置１３は１又は複数台設けることが可能である。
【００１９】
プルプリントは、外部端末１５から送信される印刷ジョブに基づき、画像形成装置１３に印刷出力を直ちに実行させるものではなく、ユーザーが画像形成装置１３に認証されてから印刷出力させるものである。つまり、プルプリントは、プルプリントサーバー１１が利用されることにより、印刷ジョブの作成とは非同期のタイミングで印刷ジョブの実行が行われる。例えば、コンピューター１５ａのユーザーがドキュメントの印刷を指示すると、コンピューター１５ａにより作成された印刷ジョブがプルプリントサーバー１１に送信される。送信された印刷ジョブはプルプリントサーバー１１に一時的に蓄積される。その後、ユーザーが不図示の複数台の画像形成装置１３から任意に選んだ１台の画像形成装置１３の設置場所に出向き、画像形成装置１３の操作表示パネルを用いて印刷ジョブの実行を指示する。指示を受けた画像形成装置１３は、プルプリントサーバー１１から印刷ジョブを取り出して実行する。
【００２０】
画像形成装置１３は、プリントコントローラー２３と、画像形成コントローラー２１とを備え、プリントコントローラー２３と、画像形成コントローラー２１とがバス３３により接続されている。プリントコントローラー２３は、例えば、ＲＯＭ、ＲＡＭ、ＣＰＵ、及びＩ／Ｏインターフェースを主体に構成され、印刷ジョブに含まれる印刷データを画像データに変換する処理を実行する。画像形成コントローラー２１は、例えば、ＲＯＭ、ＲＡＭ、ＣＰＵ、及びＩ／Ｏインターフェースを主体に構成され、プリントコントローラー２３と通信自在であり、且つプリントコントローラー２３により変換される画像データに基づき用紙に画像を形成する処理を制御する。つまり、プリントコントローラー２３と、画像形成コントローラー２１とは、物理的に分離した構造であって、それぞれＣＰＵが実装されているため、並列処理が可能となり、実行する各種プログラムを適宜プリントコントローラー２３及び画像形成コントローラー２１の何れか一方又は両方に割り当てさせることにより、資源の有効化を図ることができる。
【００２１】
プリントコントローラー２３は、画像形成コントローラー２１との接続関係の確認に用いるダミー印刷データをプルプリントサーバー１１から受信する場合、ダミー印刷データの変換結果に対応するダミー画像データを画像形成コントローラー２１に送信するものである。画像形成コントローラー２１は、プリントコントローラー２３からダミー画像データを受信し、且つダミー画像データを妥当なデータであると解析する場合、プルプリントサーバー１１に印刷データを要求する。プルプリントサーバー１１は、プルプリントを実行する場合、印刷データをプリントコントローラー２３に送信する前に、ダミー印刷データをプリントコントローラー２３に送信する。
【００２２】
ダミー印刷データは、実際の印刷データとは異なるものが特定されるのが好ましい。具体的には、ダミー印刷データは、通常用いられる実際の印刷データとは異なるものと判別できるように、ダミー印刷データ要求時、画像形成コントローラー２１から指定されることにより、指定された印刷データをダミー印刷データとしてプルプリントサーバー１１からプリントコントローラー２３に送信される。例えば、ユーザーが指定できないような不定形のサイズとして、１０ｍｍ×１０ｍｍの印刷データが、ダミー印刷データとして想定される。つまり、ダミー印刷データは、プルプリントを実行する際、実行する印刷データを送信する前に送信されるものであって、プルプリントサーバー１１と、プリントコントローラー２３と、画像形成コントローラー２１との接続確認用の通知データである。
【００２３】
具体的には、画像形成コントローラー２１は、プルプリントを実行時、プルプリントサーバー１１との接続確認がされるものであって、且つダミー印刷データに対応する解析画像データとダミー画像データとが同一のものを示すと判定する場合、ダミー画像データを妥当なデータであると解析するものである。画像形成コントローラー２１は、ダミー画像データを妥当なデータであると解析する場合、印刷データのうち、プルプリントの実行に指定される指定印刷データをプルプリントサーバー１１に要求するものである。プルプリントサーバー１１は、画像形成コントローラー２１により指定印刷データが要求される場合、指定印刷データをプリントコントローラー２３に送信するものである。
【００２４】
なお、プルプリントサーバー１１は、プリントコントローラー２３又は画像形成コントローラー２１との接続関係の設定が変更されている場合、又はダミー印刷データがプリントコントローラー２３に一度も送信されていない場合、ダミー印刷データをプリントコントローラー２３に少なくとも１回送信するものである。また、画像形成コントローラー２１は、予め設定された一定時間、プリントコントローラー２３からダミー画像データを受信しない場合、印刷データの要求をキャンセルするものである。また、ダミー印刷データ又は印刷データは、ポストスクリプトデータ等で印刷コンテンツが特定されるものである。ダミー画像データ又は画像データは、ダミー印刷データ又は印刷データをＲＩＰ（Ｒａｓｔｅｒ  Ｉｍａｇｅ  Ｐｒｏｃｅｓｓｏｒ）処理によりビットマップ画像であるラスターイメージで特定される画像データに変換されたものである。プリントコントローラー２３は、ＲＩＰ処理が可能であり、画像形成コントローラー２１は、ラスターイメージの解析が可能である。
【００２５】
図２は、実施形態１における画像形成システム１のシーケンス図である。まず、処理の前提として、コンピューター１５ａにより送信者であるユーザーのユーザー情報を印刷データに付加したものが印刷ジョブとして、プルプリントサーバー１１に送信される。印刷データを送信したユーザーは、画像形成装置１３の画像形成コントローラー２１がユーザー認証することにより、画像形成コントローラー２１は、認証したユーザーのユーザー情報を取得する。画像形成コントローラー２１は、その取得したユーザー情報に基づき、プルプリントサーバー１１に蓄積されている印刷データのリストを取得する。ユーザーにより印刷データのリストから印刷データが選択され、プルプリントの処理が画像形成コントローラー２１により実行される。
【００２６】
次に、画像形成コントローラー２１は、プルプリントの実行時、選択された印刷データを直ちに送信要求するのではなく、ダミー印刷データをプリントコントローラー２３に送信するように、プルプリントサーバー１１に要求する。プリントコントローラー２３は、プルプリントサーバー１１から送信されたダミー印刷データを受信し、ダミー画像データを作成する。プリントコントローラー２３は、作成したダミー画像データを画像形成コントローラー２１に送信する。画像形成コントローラー２１は、ダミー画像データを受信し、ダミー画像データが妥当なデータであって、且つダミー画像データの送り先が妥当であると判定する場合、プルプリントサーバー１１に実際にユーザーにより選択された印刷データの送信要求をする。
【００２７】
以上の説明から、本開示においては、プリントコントローラー２３は、プルプリントサーバー１１からダミー印刷データを受信する場合、ダミー印刷データから変換されるダミー画像データを画像形成コントローラー２１に送信する。画像形成コントローラー２１は、プリントコントローラー２３から受信したダミー画像データを解析して妥当なデータであると判定する場合、プルプリントサーバー１１に印刷データを要求する。よって、画像形成システム１は、画像データの送り先に問題がないことを確認してから実際の画像データを送るものであるため、実際の画像データの誤送信を防ぐことができる。つまり、画像形成システム１は、誤送信先には実際の画像データをそもそも送信しないものである。したがって、画像形成システム１は、実際の印刷データの漏洩を防ぐことができる。
【００２８】
また、本開示においては、プルプリントサーバー１１は、プルプリントを実行する場合、印刷データをプリントコントローラー２３に送信する前に、ダミー印刷データをプリントコントローラー２３に送信する。よって、実際の印刷データがプリントコントローラー２３に送信されることなくダミー印刷データにより、プリントコントローラー２３と画像形成コントローラー２１との接続確認を行うことができる。したがって、プルプリントを実行するために、実際の印刷データを送ることなくプルプリントサーバー１１とプリントコントローラー２３との間の接続関係を判定することができる。
【００２９】
また、本開示においては、プルプリントの実行時、画像形成コントローラー２１と、プルプリントサーバー１１との接続確認がされるものである。画像形成コントローラー２１は、解析画像データとダミー画像データとが同一のものを示すと判定する場合、ダミー画像データが妥当であると解析されることにより、ダミー印刷データから変換されるダミー画像データと、解析画像データとが同一のものを示すことになる。したがって、プリントコントローラー２３と、画像形成コントローラー２１との接続確認がされることになる。つまり、画像形成コントローラー２１と、プルプリントサーバー１１との接続確認と、画像形成コントローラー２１と、プリントコントローラー２３との接続確認とにより、プルプリントサーバー１１と、プリントコントローラー２３との接続確認をすることができる。
【００３０】
また、本開示においては、プルプリントサーバー１１は、画像形成コントローラー２１により印刷データのうちプルプリントの実行に指定される指定印刷データを要求される場合、指定印刷データをプリントコントローラー２３に送信するものである。よって、ダミー印刷データを用いてプリプリントに利用される経路の接続関係を確認する前工程と、実際の印刷データとして指定印刷データがプリントコントローラー２３に送信される後工程との２段階の工程が実行される。したがって、実際の印刷データの誤送信を回避しつつ、プルプリントを実行することができる。
【００３１】
また、本開示においては、画像形成コントローラー２１は、一定時間、プリントコントローラー２３からダミー画像データを受信しない場合、印刷データの要求をキャンセルする。一定時間経過後、プルプリントサーバー１１からプリントコントローラー２３にダミー印刷データを送信したにもかかわらず、プリントコントローラー２３から画像形成コントローラー２１にダミー画像が送信されない状態が生じている場合、ネットワーク３１若しくはバス３３等の通信媒体に障害が生じている、又はプルプリントサーバー１１、プリントコントローラー２３、若しくは画像形成コントローラー２１が過負荷状態に陥っている等の各種障害が生じている恐れがある。よって、この場合には、印刷データの要求をキャンセルすることにより、画像形成システム１の復旧に取りかかることができる。
【００３２】
また、本開示においては、プルプリントサーバー１１は、プルプリントの実行に用いられる画像形成システム１のネットワークノード間の接続関係の設定が変更されている場合、又はダミー印刷データがプリントコントローラー２３に一度も送信されていない場合、ダミー印刷データをプリントコントローラー２３に少なくとも１回送信する。例えば、画像形成装置１３の管理者画面に入ったログが残っている場合、ネットワークノード間の接続関係の設定が変更されている可能性がある。よって、この場合、プルプリントサーバー１１と送受信可能なネットワークノードが変更されている可能性があるため、実際の印刷データの誤送信を避けるために、ダミー印刷データを少なくとも１回送信する。また、ダミー印刷データがプリントコントローラー２３に一度も送信されていない場合、プルプリントサーバー１１と、プリントコントローラー２３との間の接続関係の確認が行われていない。よって、この場合、プルプリントサーバー１１と、プリントコントローラー２３とが正しく接続されていない可能性があるため、実際の印刷データの誤送信を避けるために、ダミー印刷データを少なくとも１回送信する。このような処理が実行されることにより、プルプリントの実行時のネットワーク接続構成が正しいものとなっているか否かを判定できるため、通信の安全性を高めることができる。
【００３３】
実施形態２．
実施形態２においては、実施形態１と同様の構成については同一の符号を付記し、その説明については省略する。実施形態２は、画像形成コントローラー２１でダミー画像データを解析することなく、プルプリントサーバー１１と、プリントコントローラー２３と、画像形成コントローラー２１との接続が確認される構成について説明する。図３は、実施形態２における表示部４３に表示される選択画像の一例を示す図である。まず、図１で説明した報知部４１及び表示部４３についてさらに具体的に説明する。報知部４１は、ダミー印刷データの受信の有無を報知するものである。表示部４３は、報知部４１によりダミー印刷データの受信の有無が報知されているか否かを選択させる選択画像を表示するものである。具体的には、図３に示すように、ダミー印刷データの送信を要求した際、ＯＫボタンの選択画像と、ＮＧボタンの選択画像とを表示部４３に表示させることにより、ダミー印刷データの受信を意味する旨の受信ランプが点灯しているか否かがユーザー判断により選択される。
【００３４】
具体的には、ダミー印刷データに点灯用の設定を付加してからダミー印刷データが送信されることにより、プリントコントローラー２３は、ダミー印刷データを受信した場合、報知部４１として機能する受信ランプを点灯させる。ユーザーによりＯＫボタンが操作された場合、ダミー印刷データの送り先として想定されるプリントコントローラー２３にダミー印刷データが送信されていると判定される。この場合、図２に示すように、ユーザーにより実際に選択された印刷データの送信要求が、画像形成コントローラー２１からプルプリントサーバー１１に要求される。一方、ユーザーによりＮＧボタンが操作された場合、画像形成コントローラー２１からプルプリントサーバー１１に送信された印刷ジョブはキャンセルされる。
【００３５】
以上の説明から、本開示においては、画像形成コントローラー２１は、表示部４３に表示されている選択画像のうち、ダミー印刷データの受信を示すものが選択される場合、プルプリントサーバー１１に印刷データを要求する。画像形成コントローラー２１は、表示部４３に表示されている選択画像のうち、ダミー印刷データの受信を示すものが選択されない場合、印刷データの要求をキャンセルする。よって、画像形成コントローラー２１は、ダミー画像データを解析することなく、表示部４３に表示されている選択画像の選択結果に応じて、プルプリントが実際に実行されるか否かが決定される。したがって、プリントコントローラー２３及び画像形成コントローラー２１に高い負荷をかけることなくプルプリントに関する処理を実行させることができる。
【００３６】
以上、本開示の一側面である画像形成システム１を実施形態に基づいて説明したが、本開示はこれに限定されるものではなく、本開示の趣旨を逸脱しない範囲で、変更を加えてもよい。例えば、ダミー印刷データが１０ｍｍ×１０ｍｍの印刷データである一例について説明したが、特にこれに限定されるものではない。例えば、直径５ｍｍの円であってもよい。つまり、ダミー印刷データは、上記で説明した通知データとして利用できればよく、且つ画像形成コントローラー２１により解析可能なラスターイメージであれば特に限定されるものではない。
【符号の説明】
【００３７】
１  画像形成システム、１１  プルプリントサーバー、１３  画像形成装置、
１５  外部端末、１５ａ，１５ｂ  コンピューター、１５ｃ  スマートフォン、
１７  無線中継装置、
２１  画像形成コントローラー、２３  プリントコントローラー、
３１  ネットワーク、３３  バス、４１  報知部、４３  表示部
【図１】
2018089883.tif 000003
【図２】
2018089883.tif 000004
【図３】
2018089883.tif 000005